(57)【要約】ＴＤＤ干渉管理およびトラフィック適合（ｅＩＭＴＡ）のための時分割二重（ＴＤＤ）アップリンク／ダウンリンク（ＵＬ／ＤＬ）構成表示のシステム、方法、装置、およびコンピュータプログラム製品が提供される。一つの方法は、ネットワークノードによって、時分割二重（ＴＤＤ）アップリンク／ダウンリンク（ＵＬ／ＤＬ）構成表示パターンを提供することを含む。ＴＤＤ  ＵＬ／ＤＬ構成表示パターンは、特定の構成されたキャリアおよび具体的な固定ダウンリンク・サブフレーム・インデックスと関連したＤＣＩフォーマット１Ｃで複数のＴＤＤ  ＵＬ／ＤＬ構成を表示するために用いられることができる。【選択図】図１
2016536833.tif 000002
【特許請求の範囲】
【請求項１】
ネットワークノードによって、時分割二重（ＴＤＤ）アップリンク／ダウンリンク（ＵＬ／ＤＬ）構成表示パターンを提供することを含み、
前記ＴＤＤ  ＵＬ／ＤＬ構成表示パターンが、特定の構成されたキャリアおよび具体的な固定ダウンリンク・サブフレーム・インデックスと関連したＤＣＩフォーマット１Ｃで複数のＴＤＤ  ＵＬ／ＤＬ構成を表示するために用いられる、
方法。
【請求項２】
固定ダウンリンク・サブフレームの前記ＤＣＩフォーマット１Ｃは、前記関連する特定の構成されたキャリアのための複数のＴＤＤ  ＵＬ／ＤＬ構成を表示するために用いられる、請求項１に記載の方法。
【請求項３】
最高５つのキャリアは、一つ以上の固定ダウンリンク・サブフレームの前記ＤＣＩフォーマット１Ｃにサポートされる請求項１または２に記載の方法。
【請求項４】
ダウンリンク・サブフレーム＃０、＃１、＃５、または＃６のうちの少なくとも一つは、前記構成されたキャリアの全てのための前記ＴＤＤ  ＵＬ／ＤＬ構成を表示する請求項１〜３のいずれか一項に記載の方法。
【請求項５】
前記構成表示パターンは、一つの固定ダウンリンク・サブフレームの一つのＤＣＩフォーマット１Ｃの前記ＴＤＤ  ＵＬ／ＤＬ構成と前記キャリアインデックスのマッピング関係を有する請求項１〜４のいずれか一項に記載の方法。
【請求項６】
無線リソース制御（ＲＲＣ）シグナリングを使用して、前記ＴＤＤ  ＵＬ／ＤＬ構成表示パターンを構成することを含む請求項１〜５のいずれか一項に記載の方法。
【請求項７】
少なくとも一つのプロセッサと、
コンピュータ・プログラム・コードを含む少なくとも一つのメモリと、
を備える装置であって、前記少なくとも一つのメモリおよびコンピュータ・プログラム・コードは、前記少なくとも一つのプロセッサによって、前記装置に少なくとも、時分割二重（ＴＤＤ）アップリンク／ダウンリンク（ＵＬ／ＤＬ）構成表示パターンを提供させるように構成され、
前記ＴＤＤ  ＵＬ／ＤＬ構成表示パターンは、特定の構成されたキャリアおよび具体的な固定ダウンリンク・サブフレーム・インデックスと関連したＤＣＩフォーマット１Ｃで複数のＴＤＤ  ＵＬ／ＤＬ構成を表示するために用いられる、
装置。
【請求項８】
時分割二重（ＴＤＤ）アップリンク／ダウンリンク（ＵＬ／ＤＬ）構成表示パターンを提供する提供手段を備える装置であって、
前記ＴＤＤ  ＵＬ／ＤＬ構成表示パターンは、特定の構成されたキャリアおよび具体的な固定ダウンリンク・サブフレーム・インデックスと関連したＤＣＩフォーマット１Ｃで複数のＴＤＤ  ＵＬ／ＤＬ構成を表示するために用いられる、
装置。
【請求項９】
固定ダウンリンク・サブフレームの前記ＤＣＩフォーマット１Ｃは、前記関連する特定の構成されたキャリアのための複数のＴＤＤ  ＵＬ／ＤＬ構成を表示するために用いられる、請求項８に記載の装置。
【請求項１０】
最高５つのキャリアは、一つ以上の固定ダウンリンク・サブフレームの前記ＤＣＩフォーマット１Ｃにサポートされる請求項７または８に記載の装置。
【請求項１１】
ダウンリンク・サブフレーム＃０、＃１、＃５、または＃６のうちの少なくとも一つは、前記構成されたキャリアの全てのための前記ＴＤＤ  ＵＬ／ＤＬ構成を表示する請求項８〜１０のいずれか一項に記載の装置。
【請求項１２】
前記構成表示パターンは、一つの固定ダウンリンク・サブフレームの一つのＤＣＩフォーマット１Ｃの前記ＴＤＤ  ＵＬ／ＤＬ構成と前記キャリアインデックスのマッピング関係を有する請求項８〜１１のいずれか一項に記載の装置。
【請求項１３】
前記提供手段は、無線リソース制御（ＲＲＣ）シグナリングを使用して、ＴＤＤ  ＵＬ／ＤＬ構成表示パターンを構成する手段を備える請求項８〜１２のいずれか一項に記載の装置。
【請求項１４】
コンピュータ可読の媒体で実施されるコンピュータプログラムであって、プロセッサで実行するときに、請求項１〜６のいずれか一項に記載の方法を実行するコンピュータプログラム。
【請求項１５】
ネットワークノードによって、時分割二重（ＴＤＤ）アップリンク／ダウンリンク（ＵＬ／ＤＬ）構成表示パターンを受信することを含み、
前記ＴＤＤ  ＵＬ／ＤＬ構成表示パターンが、特定の構成されたキャリアおよび具体的な固定ダウンリンク・サブフレーム・インデックスと関連したＤＣＩフォーマット１Ｃで複数のＴＤＤ  ＵＬ／ＤＬ構成を表示するために用いられる、
方法。
【請求項１６】
固定ダウンリンク・サブフレームの前記ＤＣＩフォーマット１Ｃは、前記関連する特定の構成されたキャリアのための複数のＴＤＤ  ＵＬ／ＤＬ構成を表示するために用いられる、請求項１５に記載の方法。
【請求項１７】
最高５つのキャリアは、一つ以上の固定ダウンリンク・サブフレームの前記ＤＣＩフォーマット１Ｃにサポートされる請求項１５または１６に記載の方法。
【請求項１８】
ダウンリンク・サブフレーム＃０、＃１、＃５、または＃６のうちの少なくとも一つは、前記構成されたキャリアの全てのための前記ＴＤＤ  ＵＬ／ＤＬ構成を表示する請求項１５〜１７のいずれか一項に記載の方法。
【請求項１９】
前記構成表示パターンは、一つの固定ダウンリンク・サブフレームの一つのＤＣＩフォーマット１Ｃの前記ＴＤＤ  ＵＬ／ＤＬ構成と前記キャリアインデックスのマッピング関係を有する請求項１５〜１８のいずれか一項に記載の方法。
【請求項２０】
無線リソース制御（ＲＲＣ）シグナリングを使用して前記ＴＤＤ  ＵＬ／ＤＬ構成表示パターンを構成することを含む請求項１５〜１９のいずれか一項に記載の方法。
【請求項２１】
前記ネットワークノードはユーザ機器を備える請求項１５〜２０のいずれか一項に記載の方法。
【請求項２２】
少なくとも一つのプロセッサと、
コンピュータ・プログラム・コードを含む少なくとも一つのメモリと、
を備える装置であって、前記少なくとも一つのメモリおよびコンピュータ・プログラム・コードは、前記少なくとも一つのプロセッサによって、前記装置に少なくとも、時分割二重（ＴＤＤ）アップリンク／ダウンリンク（ＵＬ／ＤＬ）構成表示パターンを受信させるように構成され、
前記ＴＤＤ  ＵＬ／ＤＬ構成表示パターンは、特定の構成されたキャリアおよび具体的な固定ダウンリンク・サブフレーム・インデックスと関連したＤＣＩフォーマット１Ｃで複数のＴＤＤ  ＵＬ／ＤＬ構成を表示するために用いられる、
装置。
【請求項２３】
時分割二重（ＴＤＤ）アップリンク／ダウンリンク（ＵＬ／ＤＬ）構成表示パターンを受信する受信手段を備える装置であって、
前記ＴＤＤ  ＵＬ／ＤＬ構成表示パターンは、特定の構成されたキャリアおよび具体的な固定ダウンリンク・サブフレーム・インデックスと関連したＤＣＩフォーマット１Ｃで複数のＴＤＤ  ＵＬ／ＤＬ構成を表示するために用いられる、
装置。
【請求項２４】
固定ダウンリンク・サブフレームの前記ＤＣＩフォーマット１Ｃは、前記関連する特定の構成されたキャリアのための複数のＴＤＤ  ＵＬ／ＤＬ構成を表示するために用いられる、
請求項２３に記載の装置。
【請求項２５】
最高５つのキャリアは、一つ以上の固定ダウンリンク・サブフレームの前記ＤＣＩフォーマット１Ｃにサポートされる請求項２３または２４に記載の装置。
【請求項２６】
ダウンリンク・サブフレーム＃０、＃１、＃５、または＃６のうちの少なくとも一つは、前記構成されたキャリアの全てのための前記ＴＤＤ  ＵＬ／ＤＬ構成を表示する請求項２３〜２５のいずれか一項に記載の装置。
【請求項２７】
前記構成表示パターンは、一つの固定ダウンリンク・サブフレームの一つのＤＣＩフォーマット１Ｃの前記ＴＤＤ  ＵＬ／ＤＬ構成と前記キャリアインデックスのマッピング関係を有する請求項２３〜２６のいずれか一項に記載の装置。
【請求項２８】
前記受信手段は、無線リソース制御（ＲＲＣ）シグナリングを使用して、ＴＤＤ  ＵＬ／ＤＬ構成表示パターンを受信する手段を備える請求項２３〜２７のいずれか一項に記載の装置。
【請求項２９】
コンピュータ可読の媒体で実施されるコンピュータプログラムであって、プロセッサで実行するときに、請求項１５〜２１のいずれか一項に記載の方法を実行するコンピュータプログラム。
【発明の詳細な説明】
【技術分野】
【０００１】
本発明の実施形態は、概して移動通信ネットワークに関するが、例えば、ユニバーサル移動体通信システム（ＵＭＴＳ）地上無線アクセスネットワーク（ＵＴＲＡＮ）、ロングタームエボリューション（ＬＴＥ）次世代ＵＴＲＡＮ（Ｅ-ＵＴＲＡＮ）、および／またはＬＴＥ-Ａに限定されない。
【０００２】
［関連出願の相互参照］
本願は、２０１３年９月２７日に出願された米国仮特許出願第６１／８８３，４５３号から優先権を主張するものである。これにより、この以前の出願の内容全体を参照によって本願明細書に引用したものとする。
【背景】
【０００３】
［関連技術の説明］
ユニバーサル移動体通信システム（ＵＭＴＳ）地上無線アクセスネットワーク（ＵＴＲＡＮ）は、基地局、またはノードＢ、および例えば無線ネットワークコントローラ（ＲＮＣ）を含む通信ネットワークに関連する。ＵＴＲＡＮは、ユーザ機器（ＵＥ）とコアネットワークの間の連結性を可能にする。ＲＮＣは、一つ以上のノードＢのための制御機能を提供する。ＲＮＣおよびその対応するノードＢは、無線ネットワークサブシステム（ＲＮＳ）と呼ばれている。Ｅ-ＵＴＲＡＮ（強化ＵＴＲＡＮ）の場合には、ＲＮＣは存在せず、そして大部分のＲＮＣ機能は強化されたノードＢ（ｅノードＢまたはｅＮＢ）に含まれる。
【０００４】
ロングタームエボリューション（ＬＴＥ）またはＥ-ＵＴＲＡＮは、改善された効率およびサービス、低コスト、ならびに新しい周波数帯機会の使用によるＵＭＴＳの改善に関連する。特に、ＬＴＥは、少なくとも５０メガビット／秒（Ｍｂｐｓ）のアップリンク・ピーク率および少なくとも１００Ｍｂｐｓのダウンリンク・ピーク率を提供する３ＧＰＰ標準である。ＬＴＥは、２０ＭＨｚから下へ１．４ＭＨｚまでのスケーラブルキャリア帯域幅をサポートし、そして周波数分割二重（ＦＤＤ）および時間分割二重（ＴＤＤ）の両方ともサポートする。
【０００５】
上記したように、ＬＴＥはまたネットワークの周波数帯効率を改善することができて、キャリアが、所与の帯域幅以上のより多くのデータおよび音声サービスを提供できる。したがって、ＬＴＥは、大容量音声サポートに加えて高速データおよびメディア・トランスポートの必要を満たすように設計される。ＬＴＥの利点は、例えば、ハイスループット、低い待ち時間、同じプラットフォームのＦＤＤおよびＴＤＤサポート、改善されたエンドユーザエクスペリエンス、ならびに低い動作コストに結果としてなる簡単なアーキテクチャを含む。
【０００６】
３ＧＰＰ  ＬＴＥ（例えば、ＬＴＥ  Ｒｅｌ-１０、ＬＴＥ  Ｒｅｌ-１１、ＬＴＥ  Ｒｅｌ-１２）の更なるリリースは、便宜のために本願明細書において単にＬＴＥ高度（ＬＴＥ-Ａ）システムと称される、将来の国際移動体通信高度（ＩＭＴ-Ａ）システムを目標とする。
【０００７】
ＬＴＥ-Ａは、３ＧＰＰ  ＬＴＥ無線アクセス技術を拡張して、最適化するために行なわれる。ＬＴＥ-Ａの目的は、削減されたコストとともにより高いデータ転送速度およびより低い待ち時間によって著しく強化されたサービスを提供することである。ＬＴＥ-Ａは、下位互換性を保つとともに、ＩＭＴ-Ａの国際通信連合無線（ＩＴＵ―Ｒ）要件を満たすより最適化された無線システムである。
【摘要】
【０００８】
一実施形態は、特定の構成されたキャリアおよび具体的な固定ダウンリンク・サブフレーム・インデックスに関連したＤＣＩフォーマット１Ｃで複数のＴＤＤ  ＵＬ／ＤＬ構成を表示するために、ネットワークノードによって、時分割二重（ＴＤＤ）アップリンク／ダウンリンク（ＵＬ／ＤＬ）構成表示パターンを提供することを含む方法を対象にする。
【０００９】
一実施形態において、固定ダウンリンク・サブフレームのＤＣＩフォーマット１Ｃは、関連する特定の構成されたキャリアのための複数のＴＤＤ  ＵＬ／ＤＬ構成を表示するために用いられる。
【００１０】
一実施形態によれば、最高５つのキャリアは、一つまたはいくつかの固定ダウンリンク・サブフレームにおいてＤＣＩフォーマット１Ｃでサポートすることができる。一実施形態において、ダウンリンク・サブフレーム＃０、＃１、＃５、または＃６の少なくとも一つは、構成されたキャリアの全てに対してＴＤＤ  ＵＬ／ＤＬ構成を表示する。
【００１１】
実施形態において、構成表示パターンは、一つの固定ダウンリンク・サブフレームにおける１つのＤＣＩフォーマット１ＣのＴＤＤ  ＵＬ／ＤＬ構成とキャリアインデックスの間のマッピング関係を含む。一実施形態によれば、構成することは、無線リソース制御（ＲＲＣ）シグナリングを使用してＴＤＤ  ＵＬ／ＤＬ構成表示パターンを構成することを含むことができる。
【００１２】
別の実施形態は、少なくとも一つのプロセッサおよびコンピュータ・プログラム・コードを含む少なくとも一つのメモリを含む装置を対象にする。少なくとも一つのメモリおよびコンピュータ・プログラム・コードは、少なくとも一つのプロセッサとともに、特定の構成されたキャリアおよび具体的な固定ダウンリンク・サブフレーム・インデックスと関連したＤＣＩフォーマット１Ｃで複数のＴＤＤ  ＵＬ／ＤＬ構成を表示するために、装置に少なくとも時分割二重（ＴＤＤ）アップリンク／ダウンリンク（ＵＬ／ＤＬ）構成表示パターンを提供させるように構成される。
【００１３】
別の実施形態は、ＲＲＣシグナリングにおいて時分割二重（ＴＤＤ）アップリンク／ダウンリンク（ＵＬ／ＤＬ）構成表示パターンを提供するための提供手段を含む装置を対象にする。ＴＤＤ  ＵＬ／ＤＬ構成表示パターンは、特定の構成されたキャリアおよび具体的な固定ダウンリンク・サブフレーム・インデックスと関連したＤＣＩフォーマット１Ｃで複数のＴＤＤ  ＵＬ／ＤＬ構成を表示するために用いられる。
【００１４】
実施形態において、固定ダウンリンク・サブフレームのＤＣＩフォーマット１Ｃは、関連する特定の構成されたキャリアのための複数のＴＤＤ  ＵＬ／ＤＬ構成を表示するために用いられる。
【００１５】
一実施形態によれば、最高５つのキャリアは、一つまたはいくつかの固定ダウンリンク・サブフレームにおいてＤＣＩフォーマット１Ｃでサポートすることができる。一実施形態において、ダウンリンク・サブフレーム＃０、＃１、＃５、または＃６のうちの少なくとも一つは、構成されたキャリアの全てに対してＴＤＤ  ＵＬ／ＤＬ構成を表示する。
【００１６】
実施形態において、構成表示パターンは、一つの固定ダウンリンク・サブフレームにおける一つのＤＣＩフォーマットのＴＤＤ  ＵＬ／ＤＬ構成とキャリアインデックスの間のマッピング関係を含む。一実施形態によれば、提供手段は、無線リソース制御（ＲＲＣ）シグナリングを使用してＴＤＤ  ＵＬ／ＤＬ構成表示パターンを構成するための手段を含むことができる。
【００１７】
別の実施形態は、コンピュータ可読の媒体で実施される、コンピュータプログラムを対象にする。コンピュータプログラムは、プロセッサで実行するとき、特定の構成されたキャリアおよび具体的な固定ダウンリンク・サブフレーム・インデックスと関連したＤＣＩフォーマット１Ｃで複数のＴＤＤ  ＵＬ／ＤＬ構成を表示するために、時分割二重（ＴＤＤ）アップリンク／ダウンリンク（ＵＬ／ＤＬ）構成表示パターンを提供することを含むプロセスを実行できる。
【００１８】
別の実施形態は、特定の構成されたキャリアおよび具体的な固定ダウンリンク・サブフレーム・インデックスと関連したＤＣＩフォーマット１Ｃで複数のＴＤＤ  ＵＬ／ＤＬ構成を表示するために、ネットワークノードによって、時分割二重（ＴＤＤ）アップリンク／ダウンリンク（ＵＬ／ＤＬ）構成表示パターンを受信することを含む方法を対象にする。
【００１９】
別の実施形態は、少なくとも一つのプロセッサおよびコンピュータ・プログラム・コードを含む少なくとも一つのメモリを含む装置を対象にする。少なくとも一つのメモリおよびコンピュータ・プログラム・コードは、少なくとも一つのプロセッサとともに、特定の構成されたキャリアおよび具体的な固定ダウンリンク・サブフレーム・インデックスと関連したＤＣＩフォーマット１Ｃで複数のＴＤＤ  ＵＬ／ＤＬ構成を表示するために、装置に少なくとも時分割二重（ＴＤＤ）アップリンク／ダウンリンク（ＵＬ／ＤＬ）構成表示パターンを受信させるように構成される。
【００２０】
別の実施形態は、ＲＲＣシグナリングで時分割二重（ＴＤＤ）アップリンク／ダウンリンク（ＵＬ／ＤＬ）構成表示パターンを受信するための受信手段を含む装置を対象にする。ＴＤＤ  ＵＬ／ＤＬ構成表示パターンは、特定の構成されたキャリアおよび具体的な固定ダウンリンク・サブフレーム・インデックスと関連したＤＣＩフォーマット１Ｃで複数のＴＤＤ  ＵＬ／ＤＬ構成を表示するために用いられる。
【００２１】
別の実施形態は、コンピュータ可読の媒体で実施される、コンピュータプログラムを対象にする。コンピュータプログラムは、プロセッサで実行するとき、特定の構成されたキャリアおよび具体的な固定ダウンリンク・サブフレーム・インデックスと関連したＤＣＩフォーマット１Ｃで複数のＴＤＤ  ＵＬ／ＤＬ構成を表示するために、時分割二重（ＴＤＤ）アップリンク／ダウンリンク（ＵＬ／ＤＬ）構成表示パターンを受信することを含むプロセスを実行できる。
【００２２】
本発明を適切に理解するために、添付の図面を参照しなければならない。
【図面の簡単な説明】
【００２３】
【図１】７つの既存のＴＤＤ  ＵＬ―ＤＬ構成例を示す。
【図２】一実施形態の構成例を示す。
【図３】プライマリ・コンポーネント・キャリア（ＰＣＣ）の帯域幅が一実施形態に従って２０ＭＨｚであると仮定する構成例を示す。
【図４】は、帯域幅が１．４ＭＨｚであり、そして構成されたキャリアの数が５である実施形態例を示す。
【図５】は、５つのキャリアが構成されて、ＤＣＩフォーマット１ＣがＴＤＤ  ＵＬ／ＤＬ構成を表示するために用いられることができる実施例を示す。
【図６】実施形態による装置例を示す。
【図７】別の実施形態による装置例を示す。
【詳細説明】
【００２４】
本発明の構成要素は、本願明細書に概して説明されて、図示されるように、多種多様な異なる構成で配置して、設計することができると容易に理解される。このように、添付図に表示するように、ＤＬ-ＵＬ干渉管理およびトラフィック適合（ｅＩＭＴＡ）に関するＴＤＤ強調のための時分割二重（ＴＤＤ）アップリンク／ダウンリンク（ＵＬ／ＤＬ）構成表示のシステム、方法、装置、およびコンピュータプログラム製品の実施形態についての以下の詳細な説明は、本発明の範囲を限定することを目的とせず、単に本発明の選択された実施形態を表わすだけである。
【００２５】
本願明細書の全体にわたって記載されている本発明の特徴、構造、または特性は、一つ以上の実施形態にいかなる適切な方法でも組み込むことができる。例えば、本願明細書の全体にわたる、句「特定の実施形態」、「いくつかの実施形態」、または他の類似の言葉の使用は、実施形態に関連して記載されている特定の特徴、構造、または特性が本発明の少なくとも一つの実施形態に含むことができるという事実に関連する。このように、本願明細書の全体にわたる、句「特定の実施形態において」、「いくつかの実施形態において」、「他の実施形態において」、または他の類似の言葉は、全てが実施形態の同じグループに必ずしも関連するというわけではない。そして記載されている特徴、構造、または特性は、一つ以上の実施形態にいかなる適切な方法でも組み込むことができる。加えて、必要に応じて、後述するいろいろな機能は、異なる順序で、そして／または相互に並行して実行できる。さらにまた、必要に応じて、記載されている機能の一つ以上は、任意であるかまたは組み合わせることができる。このように、以下の説明は、単に本発明の原理、教示、および実施形態を示すだけであると考えるべきであり、そしてそれに限定されない。
【００２６】
本発明の実施形態は、Ｒｅｌ-１２ワークアイテムｅＩＭＴＡ-「ＤＬ-ＵＬ干渉管理およびトラフィック適合のためのＬＴＥ  ＴＤＤに対する更なる強調」に関する。このｅＩＭＴＡワークアイテムの目的は、アップリンクおよびダウンリンク・トラフィック変化にマッチするためにトラフィック適合を実現することである。
【００２７】
一般に、図１に示すように、ＬＴＥ  ＴＤＤは、７つの異なるＴＤＤ  ＵＬ-ＤＬ構成を提供することによって非対称のＵＬ-ＤＬ配分を可能にする。図１に示したように、「Ｄ」として示すサブフレームはダウンリンクであり、「Ｕ」として示すサブフレームはアップリンクであり、そして「Ｓ」として示すサブフレームは特殊である。具体的には、「Ｓ」は、ダウンリンク・パイロット・タイム・スロット（ＤｗＰＴＳ）、ガード期間（ＧＰ）、およびアップリンク・パイロット・タイム・スロット（ＵｐＰＴＳ）を含む特殊サブフレームである。ＤｗＰＴＳは、ＤＬ物理ダウンリンク共有チャネル（ＰＤＳＣＨ）を送信するために用いることができる。ＵｐＰＴＳは、短いランダムアクセスチヤネル（ＲＡＣＨ）またはサウンディング参照信号（ＳＲＳ）を送信するために用いることができる。ＧＰは、送信から受信へのスイッチングギャップである。
【００２８】
図１に示す配分は、４０％〜９０％のＤＬサブフレームを提供できる。例えば、特殊サブフレームがＤＬサブフレームとみなされる場合、ＵＬ-ＤＬ構成０は、４つのＤＬサブフレームおよび６つのＵＬサブフレームを提供する。それで、ＤＬリソース比率は４０％である。同様に、それはＵＬ-ＤＬ構成５に対して９０％である。
【００２９】
ＵＬ-ＤＬ配分に適応するための現在のメカニズムは、６４０ｍｓの期間を有するシステム情報変化手順に基づく。具体的なＴＤＤ  ＵＬ／ＤＬ構成は、システム情報ブロック１（ＳＩＢ-１）シグナリングによって準統計的に通知される。
【００３０】
ＴＤＤ  ｅＩＭＴＡの目的のうちの一つは、ＴＤＤ  ＵＬ-ＤＬ構成を表示して、後方互換性を保証するためにシグナリングメカニズムを提供することである。上記の図１に示すように、ＵＥ共通ダウンリンク制御情報（ＤＣＩ）は、ＵＬ／ＤＬ再構成表示と合致する。このＵＥ共通ＤＣＩの検出に応じて、ＵＥは、サービングセルの現在の無線フレームまたは次の無線フレームのためのＴＤＤ  ＵＬ／ＤＬ構成を知ることになる。加えて、ＵＥが、ＴＤＤ  ＵＬ／ＤＬ再構成セットを知るために、この再構成セットを準統計的に構成することにより、無線リソース制御（ＲＲＣ）シグナリングを使用できる。しかしながら、残りの問題のうちの一つは、ＵＥグループ共通ダウンリンク制御情報（ＤＣＩ）に関して正確な内容を定めることである。ＵＬ-ＤＬ再構成表示が共通探索領域を経由して送信され、そしてＵＥブラインド復号の量がレガシー動作と比較して不変に保たれると仮定すると、２つのオプションが利用できるＵＥグループ共通ＤＣＩがある。第１のオプションは、ＵＥグループ共通ＤＣＩのサイズをＤＣＩフォーマット１Ｃのサイズに合わせることである。第２のオプションは、ＵＥグループ共通ＤＣＩのサイズをＤＣＩフォーマット０／１Ａ／３／３Ａのサイズに合わせることである。
【００３１】
ＴＤＤ  ＵＬ／ＤＬ再構成セットは、ｅＮＢおよびＵＥのための利用できるＵＬ／ＤＬ構成の範囲を制限する。それはＲＲＣシグナリングによって表示できる。ｅＮＢがこのセットから一つのＵＬ／ＤＬ構成を決定する場合、それは、この決定されたＵＬ／ＤＬ構成をＵＥ共通ＤＣＩ（例えば、ＤＣＩフォーマット１Ｃ）のＵＥに表示することを必要とする。例えば、この再構成セットは、ＴＤＤ  ＵＬ／ＤＬ構成０、１、２、および６から成ることができる。ｅＩＭＴＡ機能が起動するときに、またはＵＥがｅＩＭＴＡモードでセルワーキングにアクセスするときに、このセットはＲＲＣによって表示できる。それから、ＵＥは、具体的なＵＬ／ＤＬ構成を知るために、ＵＥ共通ＤＣＩを受信する必要もあり得る。
【００３２】
ＤＣＩフォーマット１Ｃのペイロードは、作動システム帯域幅に依存して、８と１５ビットの間で変化する（ＣＲＣビットを除外する）。これは、キャリアアグリゲーションの場合には、最高２つの構成されたキャリアのためのＵＬ-ＤＬ構成標識を伝達するために明らかに十分であることに注意されたい。しかしながら、それは、最高５つのキャリアに対してキャリアアグリゲーションをサポートするのに十分ではない。ＤＣＩフォーマット０／１Ａ／３／３Ａのペイロードは、２１と２８ビットの間で変化し（ＣＲＣビットを除外する）それは最高５つのキャリアに対してＵＬ-ＤＬ構成表示をサポートすることができる。２つのオプションの主な違いは、ＤＣＩフォーマット１ＣがＤＣＩフォーマット０／１Ａ／３／３Ａと比較して約１．５ｄＢのより良好なリンク性能（サービス区域）を有するということである。さらにまた、検出信頼性は重要であり、そして、この理由のために、第１のオプション（すなわち、フォーマット１Ｃ）は好ましい。
【００３３】
したがって、本発明の特定の実施形態は、キャリアアグリゲーションの場合には、ＤＣＩフォーマット１ＣによってＴＤＤ  ｅＩＭＴＡのためのＵＬ／ＤＬ構成表示に重点を置く。しかしながら、本発明の実施形態は、ＤＣＩフォーマット１Ｃだけに限定されない。他のＤＣＩフォーマット（例えば、ＤＣＩフォーマット０／１Ａ／３／３Ａ）は、特定の実施形態に従って含むこともできる。
【００３４】
例えば、構成されたキャリアの数が１以上であるとき、特定の実施形態は、ＴＤＤ  ｅＩＭＴＡに対するＴＤＤ  ＵＬ／ＤＬ構成表示のためのいくつかのスキームを提供する。
【００３５】
第１の実施形態において、無線リソース制御（ＲＲＣ）シグナリングは、ＴＤＤ  ＵＬ／ＤＬ構成表示パターン（ＣＩＰ）を構成するために提供されて、それは、特定の構成されたキャリアおよび具体的な固定ダウンリンク・サブフレーム・インデックスと関連したＤＣＩフォーマット１Ｃで複数のＴＤＤ  ＵＬ／ＤＬ構成を表示するために用いられる。少なくとも２つのＴＤＤ  ＵＬ／ＤＬ構成が一つのＤＣＩフォーマット１Ｃで表示することができて、最高５つのキャリアを構成できると考慮すると、このＣＩＰパターンは、一つの固定ダウンリンク・サブフレームの一つのＤＣＩフォーマット１ＣのＴＤＤ  ＵＬ／ＤＬ構成とキャリアインデックスの間のマッピング関係を含む。
【００３６】
第２の実施形態において、ＲＲＣシグナリングは、７ビットフィールドを表示することによって動的ＵＬ／ＤＬ再構成セットを構成するために提供される。この実施形態によれば、各ビットは、ＴＤＤ  ＵＬ／ＤＬ構成０〜６からの昇順を有するＴＤＤ  ＵＬ／ＤＬ構成番号に対応することができて、それは、対応するＴＤＤ  ＵＬ／ＤＬ構成がトラフィック適合のために使うことができるかどうかを表示する（例えば、「０」：使用せず、「１」：使用する)。この例では、この動的ＵＬ／ＤＬ再構成表示の基準は次式による。
2016536833.tif 000003
【００３７】
ここで、ｉは１〜７のビットフィールドのインデックスであり、ｎｉはｉ番目のビットの２進値である。Ｍは構成されたキャリアの数であり、Ｍ≦５である。Ｘは作動帯域幅によるＤＣＩフォーマット１Ｃのペイロードサイズである。これに基づいて、ＤＣＩフォーマット１Ｃは、共通検索空間の一つの固定ダウンリンク・サブフレームに送信されて、特定の構成されたキャリアと関連した複数のＴＤＤ  ＵＬ／ＤＬ構成の連結を表示できる。
【００３８】
第３の実施形態において、公式化は、ＴＤＤ  ＵＬ／ＤＬ構成と関連するキャリアのマッピング関係を導出するために用いる。この公式化は標準で指定することができて、ｅＮＢおよびＵＥの両方とも同じ規則でそれを実行しなければならない。ＤＣＩフォーマット１Ｃのペイロードサイズが作動帯域幅に依ることを考慮すると、必要とされる固定ダウンリンク・サブフレーム（例えば、Ｙ）の数は、
2016536833.tif 000004
に設定できる。これに基づいて、一つの無線フレームで、ＤＬサブフレーム＃ｋｎ（Ｋ＝｛０、１、５、６｝、ｎ＝０、１、２、３）は、昇順キャリアインデックスを有する特定のキャリアと関連するＴＤＤ  ＵＬ／ＤＬ構成を送信するために用いる。具体的には、ＤＬサブフレーム＃ｋｎのＤＣＩフォーマット１Ｃは、
2016536833.tif 000005
と関連した複数のＴＤＤ  ＵＬ／ＤＬ構成を送信するために用いることができる。ＤＬサブフレーム＃ｋｎのＤＣＩフォーマット１Ｃが、残りのキャリアに関連するＴＤＤ  ＵＬ／ＤＬ構成を表示するのに十分でない場合、すべての構成されたキャリアのためのＴＤＤ  ＵＬ／ＤＬ構成が表示されることができるまで、ＤＬサブフレーム＃ｋｎ＋1のＤＣＩフォーマット１Ｃを用いることができる。このようにして、各キャリアのためのＴＤＤ  ＵＬ／ＤＬ構成は、ＤＣＩフォーマット１Ｃによって一つの無線フレームに表示できる。
【００３９】
第４の実施形態において、公式化は、すべての構成されたキャリアのＴＤＤ  ＵＬ／ＤＬ構成と時間スケール情報のマッピング関係を導出するために用いる。この公式化は標準で指定されることができて、ｅＮＢおよびＵＥの両方とも同じ規則でそれを実行しなければならない。時間スケールは動的ＵＬ／ＤＬ再構成期間であり、そしてＴＤＤ  ＵＬ／ＤＬ構成はこの期間に不変に保たれる。通常、それは一つあるいはいくつかの無線フレームに等しい。時間スケール情報は、構成されたキャリアの数に従ってＵＥに表示する必要があり得る。公式化は標準で指定されることができて、ｅＮＢおよびＵＥの両方とも同じ規則でそれを実行しなければならない。構成されたキャリア（例えば、ＣＣ１、ＣＣ２、・・・、ＣＣＭ、Ｍ≦５）の数は、ＴＤＤ  ｅＩＭＴＡのための時間スケール（例えば、Ｙ無線フレーム）に等しい。特定の無線フレームがＳＦＮ  ｍｏｄ  Ｙ＝ｍを満たすときに、ＤＣＩフォーマット１ＣのＴＤＤ  ＵＬ／ＤＬ構成はＣＣｍ＋１と関連する。ここで、ｍは、Ｙで割ったＳＦＮの剰余である。このようにして、各キャリアのためのＴＤＤ  ＵＬ／ＤＬ構成は、一つの動的ＵＬ／ＤＬ再構成期間内に異なる無線フレームに表示できる。あるいは、ＤＣＩフォーマット１Ｃのペイロードサイズが作動帯域幅によることを考慮すると、時間スケール（例えば、Ｙ無線フレーム）は
2016536833.tif 000006
に設定できる。このようにして、特定の無線フレームがＳＦＮ  ｍｏｄ  Ｙ＝ｍを満たすときに、ＤＣＩフォーマット１ＣのＴＤＤ  ＵＬ／ＤＬ構成は
2016536833.tif 000007
と関連する。
【００４０】
上述のように、ＬＴＥ  ＴＤＤにおいて、７つのＴＤＤ  ＵＬ／ＤＬ構成はリリース８から特定された。これらの構成は、４０％〜９０％のＤＬサブフレームを提供できる。しかしながら、いくつかの構成は、全く同様のＤＬ／ＵＬ比率を提供できる。例えば、ＴＤＤ  ＵＬ／ＤＬ構成２および４は、両方とも８０％のＤＬ比率を提供できる。一方では、全７つのＴＤＤ  ＵＬ／ＤＬ構成が再構成のために動的に選択される場合、一つのＴＤＤ  ＵＬ／ＤＬ構成が異なる切換えポイントを有する別のものに変えられるときに、ＤＬまたはＵＬのＨＡＲＱタイミングおよびＰＵＳＣＨ伝送または転送タイミングは、難しくなることがあり得る。この態様において、より多くの標準化効果が、タイミング問題を解決するために必要である。
【００４１】
キャリアアグリゲーション（ＣＡ）のために構成されるＵＥは、あらゆる構成されたサービングセルのＵＬ／ＤＬ構成の再構成のために、プライマリセル（ＰＣｅｌｌ）の共通検索空間（ＣＳＳ）をモニターするように構成できる。全てのサービングセルが同じ再構成時間スケールを有すると仮定する場合、１５ビットは、最高５つの構成されるサービングセルのための再構成を表示するのに必要である。ＤＣＩフォーマット１Ｃが６つのＬＴＥシステム帯域幅のために表１に示すように限られたペイロードサイズを提供するので、これは不可能である。
【００４２】
［表１］ＤＣＩフォーマット１Ｃペイロードサイズ
2016536833.tif 000008
【００４３】
上に導入したように、第１の実施形態によれば、原則は、ＰＣｅｌｌのどの固定ダウンリンク・サブフレームが、ＤＣＩフォーマット１Ｃのペイロードサイズおよび構成されたキャリアの数に従ってどのキャリアと関連するＴＤＤ  ＵＬ／ＤＬ構成表示を送信するために用いるというマッピング関係を明確に示すために、パターンを事前に定めることである。ＲＲＣシグナリングは、ＴＤＤ  ＵＬ／ＤＬ構成表示パターン（ＣＩＰ）を構成するために設けられて、それは、特定の構成されたキャリアおよび具体的な固定ダウンリンク・サブフレーム・インデックスと関連したＤＣＩフォーマット１Ｃで複数のＴＤＤ  ＵＬ／ＤＬ構成を表示するために用いられる。少なくとも２つのＴＤＤ  ＵＬ／ＤＬ構成が一つのＤＣＩフォーマット１Ｃで表示することができて、最高５つのキャリアを構成できることを考えれば、このＣＩＰパターンは、一つの固定ダウンリンク・サブフレームの一つのＤＣＩフォーマット１ＣのＴＤＤ  ＵＬ／ＤＬ構成とキャリアインデックスのマッピング関係を含む。一つの実施例を下記の表２に示す。表２は、特定のキャリアのためのＴＤＤ  ＵＬ／ＤＬ構成をＰＣＣの特定の固定ダウンリンク・サブフレームにマップする。すなわち、ＣＣ１およびＣＣ２のためのＴＤＤ  ＵＬ／ＤＬ構成はＰＣＣのＤＬサブフレーム０に送信され、ＣＣ３およびＣＣ４のためのＴＤＤ  ＵＬ／ＤＬ構成はＰＣＣのＤＬサブフレーム１に送信され、そしてＣＣ５のためのＴＤＤ  ＵＬ／ＤＬ構成はＰＣＣのＤＬサブフレーム５に送信される。
【００４４】
［表２］構成表示パターン
2016536833.tif 000009
【００４５】
図２は、第１の実施形態の構成例を更に示す。図２に示すように、ＰＣＣの帯域幅が１．４ＭＨｚであり、そして構成されたキャリアの数が５である場合、ＤＬサブフレーム０のＤＣＩフォーマット１Ｃは、ＣＣ１、ＣＣ２と関連するＴＤＤ  ＵＬ／ＤＬ構成を表示するために用いられることができる。ＤＬサブフレーム１のＤＣＩフォーマット１Ｃは、ＣＣ３、ＣＣ４と関連するＴＤＤ  ＵＬ／ＤＬ構成を表示するために用いられることができる。ＤＬサブフレーム５のＤＣＩフォーマット１Ｃは、ＣＣ５と関連するＴＤＤ  ＵＬ／ＤＬ構成を表示するために用いられることができる。
【００４６】
ＴＤＤ  ＵＬ／ＤＬ構成表示の頑強性を改善するために、構成表示パターンは、いくつかのキャリアのＴＤＤ  ＵＬ／ＤＬ構成を繰り返すことができる。一つの実施例を表３に示す。
【００４７】
［表３］構成表示パターン
2016536833.tif 000010
【００４８】
このＣＩＰパターンはＰＣｅｌｌの帯域幅による。ＰＣＣの帯域幅が２０ＭＨｚである場合、最高５つのキャリアは、一つのＤＬサブフレームの一つのＤＣＩフォーマット１Ｃにサポートされることができる。このマッピングパターンは、例えば、下記の表４に示される。ＰＣＣの帯域幅が第１の実施形態に従って２０ＭＨｚである場合、図３は構成例を示す。
【００４９】
［表４］構成表示パターン
2016536833.tif 000011
【００５０】
上述のように、第２の実施形態において、原則は、ＤＣＩフォーマット１Ｃのペイロードサイズおよび構成されたキャリアの数に適応するために、減らされたＴＤＤ  ＵＬ／ＤＬ再構成セットを可能にすることである。ＲＲＣシグナリングは、７ビットフィールドを表示することによって、動的ＵＬ／ＤＬ再構成セットを構成するために提供されて、ＴＤＤ  ＵＬ／ＤＬ構成０〜６からの昇順を有するＴＤＤ  ＵＬ／ＤＬ構成番号に対応する各ビットは、対応するＴＤＤ  ＵＬ／ＤＬ構成がトラフィック適合のために使用できるかどうかを表示する（例えば、「０」：使用せず、「１」：使用する)。この動的ＵＬ／ＤＬ再構成表示の基準は、次式による。
2016536833.tif 000012
【００５１】
ここで、ｉは１〜７のビットフィールドのインデックスであり、そしてｎｉはｉ番目のビットの二進値である。Ｍは構成されたキャリアの数であり、そしてＭ≦５である。Ｘは作動帯域幅によるＤＣＩフォーマット１Ｃのペイロードサイズである。
【００５２】
例えば、帯域幅が１．４ＭＨｚであり、そして構成されたキャリアの数が５である場合、Ｍ＝５、Ｘ＝８である。したがって、ＲＲＣシグナリングによって信号を送られる動的ＵＬ／ＤＬ再構成セットのビットフィールドは、「１０１００００」であり得る。その意味で、ＴＤＤ  ＵＬ／ＤＬ構成０および２だけを使用できる。したがって、ＵＬ／ＤＬ構成表示のためのＵＥ共通ＤＣＩの１ビットは、現在の実際的なＴＤＤ  ＵＬ／ＤＬ構成を表示するのに十分である。このように、一つのＤＣＩフォーマット１Ｃは、昇順を有する最高５つのキャリアのためのＵＬ／ＤＬ構成を表示するために用いられることができる。この実施形態において、ＵＬ／ＤＬ再構成セット表示のためのＲＲＣシグナリングに加えて、物理層シグナリング（すなわち、ＵＥ共通ＤＣＩ）は、ＴＤＤ  ＵＬ／ＤＬ構成をグループＵＥに表示するために用いられる。
【００５３】
別の例として、帯域幅が３ＭＨｚであり、そして構成されたキャリアの数が５である場合、Ｍ＝５、Ｘ＝１０である。したがって、ＲＲＣシグナリングによって信号を送られる動的ＵＬ／ＤＬ再構成セットのためのビットフィールドは、「１１１０００１」であり得る。その意味で、ＴＤＤ  ＵＬ／ＤＬ構成０、１、２、および６だけを使用できる。それから、２ビットは、ＵＬ／ＤＬ構成表示のためのＵＥ共通ＤＣＩで現在の実際的なＴＤＤ  ＵＬ／ＤＬ構成を表示するのに十分である。このようにして、一つのＤＣＩフォーマット１Ｃは、昇順を有する最高５つのキャリアのためのＵＬ／ＤＬ構成を表示するために用いられることができる。このように、ＰＣｅｌｌのＤＬサブフレーム０の一つのＤＣＩフォーマット１Ｃだけは、最高５つのキャリアのＴＤＤ  ＵＬ／ＤＬ構成を表示するのに十分である。
【００５４】
第３の実施形態において、公式化は、ＴＤＤ  ＵＬ／ＤＬ構成と関連するキャリアのマッピング関係を導出するために用いることができる。この実施形態の原則は、ＰＣｅｌｌのどの固定ダウンリンク・サブフレームが、ＤＣＩフォーマット１Ｃのペイロードサイズおよび構成されたキャリアの数に従ってどのキャリアと関連したＴＤＤ  ＵＬ／ＤＬ構成表示を送信するために用いるというマッピング関係を暗に導出するために事前に定義された式を使用することである。この公式化は標準で指定される必要があり、ｅＮＢおよびＵＥの両方とも同じ規則でそれを実行しなければならない。ＤＣＩフォーマット１Ｃのペイロードサイズが作動帯域幅によることを考慮すると、必要とされる固定ダウンリンク・サブフレーム（例えば、Ｙ）の数は、
2016536833.tif 000013
に設定できる。例えば、帯域幅が１．４ＭＨｚであり、そして構成されたキャリアの数が５である場合、Ｍ＝５、Ｘ＝８、Ｙ＝３である。これに基づいて、ＤＬサブフレーム０のＤＣＩフォーマット１Ｃは、ＣＣ１、ＣＣ２と関連した２つのＴＤＤ  ＵＬ／ＤＬ構成を送信するために用いる。ＤＬサブフレーム１のＤＣＩフォーマット１Ｃは、ＣＣ３、ＣＣ４と関連した２つのＴＤＤ  ＵＬ／ＤＬ構成を表示するために用いられる。ＤＬサブフレーム５のＤＣＩフォーマット１Ｃは、ＣＣ５と関連したＴＤＤ  ＵＬ／ＤＬ構成を表示するために用いられる。このように、各キャリアのためのＴＤＤ  ＵＬ／ＤＬ構成は、ＤＣＩフォーマット１Ｃによって一つの無線フレームで表示できる。
【００５５】
上に導入したように、第４の実施形態において、時間スケール情報は、構成されたキャリアの数に従ってＵＥに表示する。この実施形態の原則は、どの無線フレームにおいてＰＣｅｌｌの１つの事前に定められた固定ダウンリンク・サブフレームが、構成されたキャリアの数および／またはＤＣＩフォーマット１Ｃのペイロードサイズに従って、どのキャリアと関連したＴＤＤ  ＵＬ／ＤＬ構成表示を送信するために用いるというマッピング関係を暗に導出するために事前に定義された式を使用することである。ＰＣｅｌｌのこの事前に定められた固定ダウンリンク・サブフレームおよびＵＬ／ＤＬ再構成のための時間スケールは、ＲＲＣシグナリングによってＵＥに表示できる。公式化は標準で指定される必要があり、ｅＮＢおよびＵＥの両方とも同じ規則でそれを実行しなければならない。構成されたキャリア（例えば、ＣＣ１、ＣＣ２、・・・、ＣＣＭ、Ｍ≦５）の数は、ＴＤＤ  ｅＩＭＴＡのための時間スケール（例えば、Ｙ無線フレーム）に等しい。特定の無線フレームがＳＦＮ  ｍｏｄ  Ｙ＝＝ｍを満たすときに、ＤＣＩフォーマット１ＣのＴＤＤ  ＵＬ／ＤＬ構成はＣＣｍ＋１と関連する。
【００５６】
図４は、第４の実施形態による実施例を示し、そこにおいて、帯域幅が１．４ＭＨｚであり、そして構成されたキャリアの数が５であるとき、Ｍ＝５、Ｙ＝５である。これに基づいて、特定の無線フレームがＳＦＮ  ｍｏｄ  ５＝０を満たすときに、ＤＣＩフォーマット１ＣのＴＤＤ  ＵＬ／ＤＬ構成はＣＣ１と関連し；...；特定の無線フレームがＳＦＮ  ｍｏｄ  ５＝４を満たすときに、ＤＣＩフォーマット１ＣのＴＤＤ  ＵＬ／ＤＬ構成はＣＣ５と関連する。
【００５７】
あるいは、ＤＣＩフォーマット１Ｃのペイロードサイズが作動帯域幅によることを考慮すると、時間スケール（例えば、Ｙ無線フレーム）は、
2016536833.tif 000014
に設定できる。これに基づいて、ＳＦＮ  ｍｏｄ  ３＝＝０を満たす無線フレームのＤＣＩフォーマット１Ｃは、ＣＣ１、ＣＣ２と関連した２つのＴＤＤ  ＵＬ／ＤＬ構成を送信するために用いることができる。ＳＦＮ  ｍｏｄ  ３＝１を満たす無線フレームのＤＣＩフォーマット１Ｃは、ＣＣ３、ＣＣ４と関連した２つのＴＤＤ  ＵＬ／ＤＬ構成を表示するために用いられることができる。加えて、ＳＦＮ  ｍｏｄ  ３＝＝２を満たす無線フレームのＤＣＩフォーマット１Ｃは、ＣＣ５と関連したＴＤＤ  ＵＬ／ＤＬ構成を表示するために用いられることができる。
【００５８】
図５は、５つのキャリアが構成される別の実施例を示す。このように、各キャリアのためのＴＤＤ  ＵＬ／ＤＬ構成は、一つの動的ＵＬ／ＤＬ再構成期間内に異なる無線フレームに表示できる。
【００５９】
図６は、実施形態による装置１０の実施例を示す。一実施形態において、装置１０は、ネットワーク要素、例えば基地局またはｅＮＢであり得る。更に、当業者が、装置１０が図６に示されない構成要素または特徴を含むことができると理解することに留意する必要がある。本発明の説明のために必要なそれらの構成要素または特徴だけを図６に示す。
【００６０】
図６に示すように、装置１０は、情報を処理して、命令または動作を実行するためのプロセッサ２２を含む。プロセッサ２２は、いかなるタイプの汎用または特殊用途のプロセッサでもあり得る。単一のプロセッサ２２が図６に示されるが、複数のプロセッサが他の実施形態に従って利用できる。事実、実施例として、プロセッサ２２は、汎用コンピュータ、特殊用途のコンピュータ、マイクロプロセッサ、デジタル信号プロセッサ（ＤＳＰ）、フィールド・プログラム可能なゲートアレイ（ＦＰＧＡ）、特定用途向け集積回路（ＡＳＩＣ）、およびマルチコア・プロセッサ・アーキテクチャに基づいたプロセッサのうちの一つ以上を含むことができる。
【００６１】
装置１０はメモリ１４を更に含み、それは、プロセッサ２２によって実行できる情報および命令を格納するために、プロセッサ２２に連結できる。メモリ１４は、一つ以上のメモリであり、そしてローカル・アプリケーション環境に適したいかなるタイプでもあり、そして半導体ベースの記憶装置、磁気記憶装置およびシステム、光学記憶装置およびシステム、固定メモリ、ならびに着脱式メモリのような、あらゆる適切な揮発性または不揮発性のデータ格納技術を用いて実施できる。例えば、メモリ１４は、ランダム・アクセス・メモリ（ＲＡＭ）、読出し専用メモリ（ＲＯＭ）、磁気または光学ディスクのような静的記憶装置、あるいはその他のタイプの非一時的機械または計算機可読の媒体のいかなる組合せからも成ることができる。メモリ１４に格納される命令は、プロセッサ２２により実行されるときに、装置１０が本願明細書に記載されているタスクを実行することを可能にするプログラム命令またはコンピュータ・プログラム・コードを含むことができる。
【００６２】
装置１０は、装置１０へ／から信号および／またはデータを送受信するための一つ以上のアンテナ２５を含むこともできる。装置１０は、情報を送受信するように構成されるトランシーバ２８を更に含むことができる。例えば、トランシーバ２８は、アンテナ２５による送信のために情報をキャリア波形に変調して、装置１０の他の要素による更なる処理のためにアンテナ２５を介して受信する情報を復調するように構成できる。他の実施形態において、トランシーバ２８は、信号またはデータを直接に送受信できる。
【００６３】
プロセッサ２２は、アンテナ利得／位相パラメータの事前符号化、通信メッセージを形成する個々のビットの符号化および復号化、情報のフォーマッティングを制限せずに含む、装置１０の動作と関連した機能、および通信リソースの管理と関連したプロセスを含む、装置１０の全体の制御を実行できる。
【００６４】
実施形態において、メモリ１４は、プロセッサ２２により実行されるときに機能を提供するソフトウェアモジュールを格納する。モジュールは、例えば、オペレーティングシステム機能を装置１０に提供するオペレーティングシステムを含むことができる。メモリは、更なる機能を装置１０に提供するために、一つ以上の機能モジュール、例えばアプリケーションまたはプログラムを格納することもできる。装置１０の構成要素は、ハードウェアにおいて、またはハードウェアとソフトウェアのいかなる適切な組合せとしても実施できる。
【００６５】
一実施形態において、装置１０は、ＬＴＥのｅＮＢのような、通信ネットワークの基地局であり得る。実施形態において、装置１０は、例えばＲＲＣシグナリングを使用して、ＤＣＩフォーマット１Ｃの複数のＴＤＤ  ＵＬ／ＤＬ構成を表示するために用いられるＴＤＤ  ＵＬ／ＤＬ構成表示パターン（ＣＩＰ）を構成するために、メモリ１４およびプロセッサ２２によって制御できる。ＴＤＤ  ＵＬ／ＤＬ構成は、特定の構成されたキャリアおよび具体的な固定ダウンリンク・サブフレーム・インデックスと関連できる。
【００６６】
別の実施形態では、装置１０は、例えばＲＲＣシグナリングを使用して、７ビットフィールドを表示することによって動的ＵＬ／ＤＬ再構成セットを構成するために、メモリ１４およびプロセッサ２２によって制御できる。各ビットは、例えば、ＴＤＤ  ＵＬ／ＤＬ構成番号に対応できる。例えば、各ビットは、対応するＴＤＤ  ＵＬ／ＤＬ構成がトラフィック適合に使うことができるかどうか表示する、ＴＤＤ  ＵＬ／ＤＬ構成０から６までの昇順を有するＴＤＤ  ＵＬ／ＤＬ構成に対応できる。実施形態によれば、動的ＵＬ／ＤＬ再構成表示の基準は次式による。
2016536833.tif 000015
【００６７】
ここで、ｉは１から７までのビットフィールドのインデックスであり、ｎｉはｉ番目のビットの二進値であり、Ｍは構成されたキャリアの数であり、そしてＭ≦５であり、そしてＸは作動帯域幅によるＤＣＩフォーマット１Ｃのペイロードサイズである。
【００６８】
別の実施形態では、装置１０は、公式化を用いて、ＴＤＤ  ＵＬ／ＤＬ構成と関連するキャリアのマッピング関係を導出するために、メモリ１４およびプロセッサ２２によって制御できる。ＴＤＤ  ＵＬ／ＤＬ構成はＤＣＩフォーマット１Ｃであり、そして固定ダウンリンク・サブフレーム（Ｙ）の数は、
2016536833.tif 000016
に設定できる。
【００６９】
さらに別の実施形態では、装置１０は、構成されたキャリアの数に従って時間スケール情報をＵＥに表示するために、メモリ１４およびプロセッサ２２によって制御できる。一つの実施例によれば、構成されたキャリアの数は、ＴＤＤ  ｅＩＭＴＡのための時間スケールに等しくできる。各キャリアのためのＴＤＤ  ＵＬ／ＤＬ構成は、一つのＵＬ／ＤＬ再構成期間内に異なる無線フレームのＰＣｅｌｌの固定ダウンリンク・サブフレームのうちの一つに表示できる。
【００７０】
図７は、別の実施形態による装置２０の実施例を示す。実施形態において、装置２０は、通信ネットワーク、例えば移動局またはユーザ機器（ＵＥ）と関連したノードであり得る。装置２０が図７に示されない構成要素または特徴を含むことができることを、当業者が理解する点に留意する必要がある。
【００７１】
図７に示すように、装置２０は、情報を処理して、命令または動作を実行するためのプロセッサ３２を含む。プロセッサ３２は、いかなるタイプの汎用または専用のプロセッサでもあり得る。単一プロセッサ３２が図７に示されるが、複数のプロセッサは他の実施形態に従って利用できる。事実、実施例として、プロセッサ３２は、汎用コンピュータ、専用コンピュータ、マイクロプロセッサ、デジタル信号プロセッサ（ＤＳＰ）、フィールド・プログラム可能なゲートアレイ（ＦＰＧＡ）、特定用途向け集積回路（ＡＳＩＣ）、およびマルチコア・プロセッサ・アーキテクチャに基づいたプロセッサのうちの一つ以上を含むことができる。
【００７２】
装置２０はメモリ３４を更に含み、それは、プロセッサ３２によって実行できる情報および命令を格納するために、プロセッサ３２に連結できる。メモリ３４は、一つ以上のメモリ、そしてローカル・アプリケーション環境に適しているいかなるタイプでもあり、そして半導体ベースのメモリ素子、磁気メモリ素子およびシステム、光学メモリ素子およびシステム、固定メモリ、ならびに着脱可能なメモリのような、あらゆる適切な揮発性または不揮発性のデータ格納技術を使用して実施できる。例えば、メモリ３４は、ランダム・アクセス・メモリ（ＲＡＭ）、読出し専用メモリ（ＲＯＭ）、磁気または光学ディスクのような静的記憶装置、あるいはその他のタイプの非一時的機械または計算機可読の媒体のいかなる組合せからも成ることができる。メモリ３４に格納される命令は、プロセッサ３２により実行されるときに、装置２０が本願明細書に記載されているタスクを実行することを可能にするプログラム命令またはコンピュータ・プログラム・コードを含むことができる。
【００７３】
装置２０は、装置２０へ／から信号および／またはデータを送受信するための一つ以上のアンテナ３５を含むこともできる。装置２０は、情報を送受信するように構成されたトランシーバ３８を更に含むことができる。例えば、トランシーバ３８は、アンテナ３５による送信のために情報をキャリア波形に変調して、装置２０の他の要素による更なる処理のためにアンテナ３５を介して受信した情報を復調するように構成できる。他の実施形態において、トランシーバ３８は、信号またはデータを直接送受信できる。
【００７４】
プロセッサ３２は、アンテナ利得／位相パラメータの事前符号化、通信メッセージを形成する個々のビットの符号化および復号化、情報のフォーマッティングを制限せずに含む、装置２０の動作と関連した機能、および通信リソースの管理と関連したプロセスを含む、装置２０の全体の制御を実行できる。
【００７５】
実施形態において、メモリ３４は、プロセッサ３２により実行されるときに機能を提供するソフトウェアモジュールを格納する。モジュールは、例えば、オペレーティングシステム機能を装置２０に提供するオペレーティングシステムを含むことができる。メモリは、更なる機能を装置２０に提供するために、一つ以上の機能モジュール、例えばアプリケーションまたはプログラムを格納することもできる。装置２０の構成要素は、ハードウェアにおいて、またはハードウェアとソフトウェアのいかなる適切な組合せとしても実施できる。
【００７６】
上記したように、一実施形態によれば、装置２０は移動局またはＵＥであり得る。この実施形態において、装置２０は、時分割二重（ＴＤＤ）アップリンク／ダウンリンク（ＵＬ／ＤＬ）構成表示パターンを受信するために、メモリ３４およびプロセッサ３２によって制御できる。ＴＤＤ  ＵＬ／ＤＬ構成表示パターンは、特定の構成されたキャリアおよび具体的な固定ダウンリンク・サブフレーム・インデックスと関連したＤＣＩフォーマット１Ｃで複数のＴＤＤ  ＵＬ／ＤＬ構成を表示できる。
【００７７】
他の実施形態は、ＴＤＤ  ｅＩＭＴＡのＴＤＤ  ＵＬ／ＤＬ構成表示のための方法を含むことができる。一つの方法は、例えばＲＲＣシグナリングを使用して、特定の構成されたキャリアおよびＰＣｅｌｌの具体的な固定ダウンリンク・サブフレーム・インデックスと関連したＤＣＩフォーマット１Ｃで複数のＴＤＤ  ＵＬ／ＤＬ構成を表示するために用いられるＴＤＤ  ＵＬ／ＤＬ構成表示パターン（ＣＩＰ）を構成することを含む。したがって、この実施形態は、ＰＣｅｌｌのどの固定ダウンリンク・サブフレームが、ＤＣＩフォーマット１Ｃのペイロードサイズおよび構成されたキャリアの数に従ってどのキャリアと関連したＴＤＤ  ＵＬ／ＤＬ構成表示を送信するために用いるというマッピング関係を明確に示すためにパターンを事前に定めることができる。
【００７８】
別の実施形態は、例えばＲＲＣシグナリングを使用して、７ビットフィールドを表示することによって動的ＵＬ／ＤＬ再構成セットを構成することを含む方法を対象にする。したがって、この実施形態は、ＤＣＩフォーマット１Ｃのペイロードサイズおよび構成されたキャリアの数に適応するために、減少したＴＤＤ  ＵＬ／ＤＬ再構成セットを可能にすることができる。各ビットは、例えば、ＴＤＤ  ＵＬ／ＤＬ構成番号に対応できる。例えば、各ビットは、対応するＴＤＤ  ＵＬ／ＤＬ構成がトラフィック適合に使うことができるかどうか表示する、ＴＤＤ  ＵＬ／ＤＬ構成０から６までの昇順を有するＴＤＤ  ＵＬ／ＤＬ構成に対応できる。実施形態によれば、動的ＵＬ／ＤＬ再構成表示の基準は次式による。
2016536833.tif 000017
【００７９】
ここで、ｉは１から７までのビットフィールドのインデックスであり、ｎｉはｉ番目のビットの二進値であり、Ｍは構成されたキャリアの数であり、そしてＭ≦５であり、そしてＸは作動帯域幅によるＤＣＩフォーマット１Ｃのペイロードサイズである。
【００８０】
別の実施形態は、公式化を用いて、ＴＤＤ  ＵＬ／ＤＬ構成と関連するキャリアのマッピング関係を導出することを含む方法を対象にする。ＴＤＤ  ＵＬ／ＤＬ構成はＤＣＩフォーマット１Ｃであり、そして固定ダウンリンクサブフレーム（Ｙ）の数は
2016536833.tif 000018
に設定できる。したがって、この実施形態は、ＰＣｅｌｌのどの固定ダウンリンク・サブフレームが、ＤＣＩフォーマット１Ｃのペイロードサイズおよび構成されたキャリアの数に従ってどのキャリアと関連したＴＤＤ  ＵＬ／ＤＬ構成表示を送信するために用いるというマッピング関係を暗に導出するために事前に定めた式を使用できる。
【００８１】
別の実施形態は、構成されたキャリアの数に従って時間スケール情報をＵＥに表示することを含む方法を対象にする。一つの実施例によれば、構成されたキャリアの数は、ＴＤＤ  ｅＩＭＴＡのための時間スケールに等しいことがある。各キャリアのためのＴＤＤ  ＵＬ／ＤＬ構成は、一つのＵＬ／ＤＬ再構成期間内に異なる無線フレームのＰＣｅｌｌの固定ダウンリンク・サブフレームのうちの一つに表示できる。したがって、この実施形態は、どの無線フレームでＰＣｅｌｌの一つの事前に定めた固定ダウンリンク・サブフレームが、構成されたキャリアの数および／またはＤＣＩフォーマット１Ｃのペイロードサイズに従って、どのキャリアと関連したＴＤＤ  ＵＬ／ＤＬ構成表示を送信するために用いるというマッピング関係を暗に導出するために事前に定めた式を使用できる。ＰＣｅｌｌのこの事前に定めた固定ダウンリンク・サブフレームおよびＵＬ／ＤＬ再構成のための時間スケールは、ＲＲＣシグナリングによって、ＵＥに表示できる。
【００８２】
いくつかの実施形態では、上記の図４に示すような、本願明細書に記載の方法のいずれの機能も、メモリあるいは他のコンピュ−タ可読であるかまたは有形的表現媒体に格納されるソフトウェアおよび／またはコンピュータ・プログラム・コードにより実施されて、プロセッサにより実行することができる。他の実施形態において、機能は、例えば、特定用途向け集積回路（ＡＳＩＣ）、プログラム可能なゲートアレイ（ＰＧＡ）、フィールド・プログラム可能なゲートアレイ（ＦＰＧＡ）、またはハードウェアとソフトウェアの他のいかなる組合せを用いることにより、ハードウェアによって実行できる。
【００８３】
上述の発明は、処理の順序を変えて、および／または開示されるものとは異なる構成のハードウェア要素によって、実施することが可能である。本明細書では、好ましい実施形態を使って本発明を説明してきたが、本発明の思想および範囲を逸脱しない様々な変更態様、変形、代替の構造が存在することは明らかである。特許発明の境界および範囲を決定するためには、添付の特許請求の範囲を参照しなければならない。
【図１】
2016536833.tif 000019
【図２】
2016536833.tif 000020
【図３】
2016536833.tif 000021
【図４】
2016536833.tif 000022
【図５】
2016536833.tif 000023
【図６】
2016536833.tif 000024
【図７】
2016536833.tif 000025
【手続補正書】
【提出日】平成28年4月11日(2016.4.11)
【手続補正１】
【補正対象書類名】特許請求の範囲
【補正対象項目名】全文
【補正方法】変更
【補正の内容】
【特許請求の範囲】
【請求項１】
ネットワークノードによって、時分割二重（ＴＤＤ）アップリンク／ダウンリンク（ＵＬ／ＤＬ）構成表示パターンを受信することを含み、
前記ＴＤＤ  ＵＬ／ＤＬ構成表示パターンが、特定の構成されたキャリアおよび具体的な固定ダウンリンク・サブフレーム・インデックスと関連したＤＣＩフォーマット１Ｃで複数のＴＤＤ  ＵＬ／ＤＬ構成を表示するために用いられる、
方法。
【請求項２】
固定ダウンリンク・サブフレームの前記ＤＣＩフォーマット１Ｃは、前記関連する特定の構成されたキャリアのための複数のＴＤＤ  ＵＬ／ＤＬ構成を表示するために用いられる、請求項１に記載の方法。
【請求項３】
最高５つのキャリアは、一つ以上の固定ダウンリンク・サブフレームの前記ＤＣＩフォーマット１Ｃにサポートされる請求項１または２に記載の方法。
【請求項４】
ダウンリンク・サブフレーム＃０、＃１、＃５、または＃６のうちの少なくとも一つは、前記構成されたキャリアの全てのための前記ＴＤＤ  ＵＬ／ＤＬ構成を表示する請求項１〜３のいずれか一項に記載の方法。
【請求項５】
前記構成表示パターンは、一つの固定ダウンリンク・サブフレームの一つのＤＣＩフォーマット１Ｃの前記ＴＤＤ  ＵＬ／ＤＬ構成と前記キャリアインデックスのマッピング関係を有する請求項１〜４のいずれか一項に記載の方法。
【請求項６】
前記ＴＤＤ  ＵＬ／ＤＬ構成表示パターンは、無線リソース制御（ＲＲＣ）シグナリングを使用して構成される、請求項１〜５のいずれか一項に記載の方法。
【請求項７】
時分割二重（ＴＤＤ）アップリンク／ダウンリンク（ＵＬ／ＤＬ）構成表示パターンを受信する受信手段を備える装置であって、
前記ＴＤＤ  ＵＬ／ＤＬ構成表示パターンは、特定の構成されたキャリアおよび具体的な固定ダウンリンク・サブフレーム・インデックスと関連したＤＣＩフォーマット１Ｃで複数のＴＤＤ  ＵＬ／ＤＬ構成を表示するために用いられる、
装置。
【請求項８】
固定ダウンリンク・サブフレームの前記ＤＣＩフォーマット１Ｃは、前記関連する特定の構成されたキャリアのための複数のＴＤＤ  ＵＬ／ＤＬ構成を表示するために用いられる、請求項７に記載の装置。
【請求項９】
最高５つのキャリアは、一つ以上の固定ダウンリンク・サブフレームの前記ＤＣＩフォーマット１Ｃにサポートされる請求項７または８に記載の装置。
【請求項１０】
ダウンリンク・サブフレーム＃０、＃１、＃５、または＃６のうちの少なくとも一つは、前記構成されたキャリアの全てのための前記ＴＤＤ  ＵＬ／ＤＬ構成を表示する請求項７〜９のいずれか一項に記載の装置。
【請求項１１】
前記構成表示パターンは、一つの固定ダウンリンク・サブフレームの一つのＤＣＩフォーマット１Ｃの前記ＴＤＤ  ＵＬ／ＤＬ構成と前記キャリアインデックスのマッピング関係を有する請求項７〜１０のいずれか一項に記載の装置。
【請求項１２】
前記ＴＤＤ  ＵＬ／ＤＬ構成表示パターンは、無線リソース制御（ＲＲＣ）シグナリングを使用して構成される、請求項７〜１１のいずれか一項に記載の装置。
【請求項１３】
ネットワークノードによって、時分割二重（ＴＤＤ）アップリンク／ダウンリンク（ＵＬ／ＤＬ）構成表示パターンを提供することを含み、
前記ＴＤＤ  ＵＬ／ＤＬ構成表示パターンが、特定の構成されたキャリアおよび具体的な固定ダウンリンク・サブフレーム・インデックスと関連したＤＣＩフォーマット１Ｃで複数のＴＤＤ  ＵＬ／ＤＬ構成を表示するために用いられる、
方法。
【請求項１４】
ダウンリンク・サブフレーム＃０、＃１、＃５、または＃６のうちの少なくとも一つは、前記構成されたキャリアの全てのための前記ＴＤＤ  ＵＬ／ＤＬ構成を表示する請求項１３に記載の方法。
【請求項１５】
前記ＴＤＤ  ＵＬ／ＤＬ構成表示パターンは、無線リソース制御（ＲＲＣ）シグナリングを使用して構成される、請求項１３又は１４に記載の方法。
【請求項１６】
時分割二重（ＴＤＤ）アップリンク／ダウンリンク（ＵＬ／ＤＬ）構成表示パターンを提供する提供手段を備える装置であって、
前記ＴＤＤ  ＵＬ／ＤＬ構成表示パターンは、特定の構成されたキャリアおよび具体的な固定ダウンリンク・サブフレーム・インデックスと関連したＤＣＩフォーマット１Ｃで複数のＴＤＤ  ＵＬ／ＤＬ構成を表示するために用いられる、
装置。
【請求項１７】
固定ダウンリンク・サブフレームの前記ＤＣＩフォーマット１Ｃは、前記関連する特定の構成されたキャリアのための複数のＴＤＤ  ＵＬ／ＤＬ構成を表示するために用いられる、
請求項１６に記載の装置。
【請求項１８】
最高５つのキャリアは、一つ以上の固定ダウンリンク・サブフレームの前記ＤＣＩフォーマット１Ｃにサポートされる請求項１６または１７に記載の装置。
【請求項１９】
前記構成表示パターンは、一つの固定ダウンリンク・サブフレームの一つのＤＣＩフォーマット１Ｃの前記ＴＤＤ  ＵＬ／ＤＬ構成と前記キャリアインデックスのマッピング関係を有する請求項１６〜１８のいずれか一項に記載の装置。
【請求項２０】
処理手段及び記憶手段を備える装置であって、前記記憶手段はプログラム命令を格納し、前記プログラム命令は、前記処理手段に実行されると、前記装置に、請求項１から６及び１３から１５のいずれかに記載の方法を遂行させるように構成される、装置。
【請求項２１】
装置の処理手段に実行されると、前記装置に、請求項１から６及び１３から１５のいずれかに記載の方法を遂行させるように構成されるプログラム命令を備える、コンピュータプログラム。
【国際調査報告】
2016536833.tif 000026
2016536833.tif 000027
2016536833.tif 000028
2016536833.tif 000029
2016536833.tif 000030